(57)【要約】【課題】大型化することなく、しかも、高周波のノーマルモード信号を減衰させることなく、コモンモードノイズを広帯域に亘って阻止することができる小型化に適したコモンモードチョークコイルを提供する。【解決手段】閉磁路を形成している閉磁路コア１に２本の絶縁電線Ｌ１，Ｌ２を同時に捲回して一対の巻線２，３が形成され、一対の巻線２，３を形成している２本の絶縁電線Ｌ１，Ｌ２の両端が入力端子４ｉ，５ｉ及び出力端子４ｏ，５ｏにそれぞれ接続されている。一対の巻線２，３は、閉磁路１と２点ｘ，ｙで交差する直線Ｌによって２分割されるコア部分１ａ，１ｂの両方に、２本の絶縁電線Ｌ１，Ｌ２を、直線Ｌを横切って掛け渡して交差点の一方ｘから他方ｙに向かってそれぞれ捲回して形成されている。【選択図】図１
2006351860.tif 000002
【特許請求の範囲】
【請求項１】
閉磁路を形成している閉磁路コアと、該閉磁路コアに２本の絶縁電線を同時に捲回して形成した一対の巻線と、該一対の巻線を形成している前記２本の絶縁電線の両端がそれぞれ接続された入力端子及び出力端子とを備えるコモンモードチョークコイルであって、
前記一対の巻線が、前記閉磁路と２点で交差する直線によって２分割されるコア部分の両方に、前記２本の絶縁電線を、前記直線を横切って掛け渡して前記交差点の一方から他方に向かってそれぞれ捲回して形成されている
ことを特徴とするコモンモードチョークコイル。
【請求項２】
前記コア部分の各々に対する前記２本の絶縁電線の捲回が、少なくとも１捲数毎に前記２本の絶縁電線を前記直線を横切って掛け渡して行われている
ことを特徴とする請求項１記載のコモンモードチョークコイル。
【請求項３】
前記コア部分の一方に前記２本の絶縁電線を追加捲回して形成した巻線を有する
ことを特徴とする請求項２記載のコモンモードチョークコイル。
【請求項４】
前記閉磁路が長方形枠状をなし、
前記直線が前記長方形枠状の閉磁路の短辺部分と交差している
ことを特徴とする請求項１記載のコモンモードチョークコイル。
【請求項５】
前記入力端子及び前記出力端子が、前記閉磁路コアの外側に前記直線の方向で離間して配置されている
ことを特徴とする請求項１〜４のいずれかに記載のコモンモードチョークコイル。
【発明の詳細な説明】
【技術分野】
【０００１】
本発明は、平衡伝送路を同方向に伝導するコモンモードノイズを阻止するコモンモードチョークコイルに関するものである。
【背景技術】
【０００２】
従来、この種のコモンモードチョークコイル（以下、チョークコイルと略記する。）として、図１０の概略構成図に示すようなものが知られている（例えば、特許文献１参照）。
【０００３】
同図において、チョークコイルは、円環（トロイダル）状の閉磁路コア１１に、巻線１２と巻線１３が回数Ｎ２及びＮ３（Ｎ２＝Ｎ３）だけそれぞれ捲回された構成となっている。巻線１２及び１３の一端には入力端子１２ｉ及び１３ｉが、他端には出力端子１２ｏ及び１３ｏがそれぞれ設けられている。巻線１２及び１３のコア１１への捲回は、入力端子１２ｉ及び１３ｉから出力端子１２ｏ及び１３ｏに同相でそれぞれ伝導するコモンモード電流Ｉ１２ｃ及びＩ１３ｃに対して各巻線１２，１３が閉磁路コア１１内にそれぞれ生じる磁束Φ１２，Φ１３が同方向となって互いにインダクタンスを生じるような巻方向に行われている。すなわち、チョークコイルは、巻線１２及び１３に同相で流れるコモンモードノイズに対して高インピーダンスを呈してコモンモードノイズを阻止する。
【０００４】
これに対し、平衡伝送路においけるノーマルモード信号電流は、図１１に示すように、巻線１２，１３の両端間の電位差で伝導する電流Ｉ１２ｓ，Ｉ１３ｓであるが、これらは同じ大きさの正相電流である。電流Ｉ１２ｓが巻数Ｎ２の巻線１２に流れることによって発生される磁束Φ１２と、電流Ｉ１３ｓが巻数Ｎ３の巻線１３に流れることによって発生される磁束Φ１３とは、大きさが同じで、閉磁路内での向きが反対方向となっているため、磁束がΦ１２及びΦ１３が互いにキャンセルされインダクタンスが発生されない。このことによって、ノーマルモード信号電流は減衰されずに通過される。
【特許文献１】特公平４−８０５２５号公報
【発明の開示】
【発明が解決しようとする課題】
【０００５】
ところで、この種のチョークコイルのコモンモードノイズ阻止特性は、インピーダンスの周波数特性によって決まるが、広帯域化を図るためには、広い周波数範囲に亘って一定値以上のインピーダンスを有することが要求される。
【０００６】
しかしながら、上述した構成のチョークコイルでは、磁束Φ１２及びΦ１３が両方の巻線１２及び１３を通過しないため、図１１に示すように、僅かであるが閉磁路１１からの漏れ磁束φ１２及びφ１３が存在し、微小なリーケージインダクタンスが発生される。ノーマルモード信号電流が高周波である場合には、Ｚ＝Ｒ＋ｊωＬからなる大きなインピーダンスとなり、ノーマルモード信号電流を減衰させる。
【０００７】
このような漏れ磁束も両巻線１２及び１３を通過させることによりリーケージインダクタンスを減少させてノーマルモード信号電流を問題なく伝送させる方法としては、図１２に示すように、巻線１２及び１３に２本の絶縁電線を撚った撚線で、或いは、撚らないままで一緒に捲回することが考えられる。
【０００８】
図１２に示す構成のチョークコイルでは、高周波のノーマルモード信号を減衰させずにコモンモードノイズのみを阻止することができる。しかしながら、閉磁路コア１１の閉磁路の一部分のみに巻線１２，１３を施し、入出力巻線間距離を大きくして入出力巻線間容量Ｃｉｏを小さくすることにより、隣接巻線間容量Ｃｎと入出力巻線間容量Ｃｉｏとを合成した入出力端子間容量Ｃを小さくして、高域側特性の悪化を抑制しているに過ぎない。なお、浮游容量は金属である導体と導体の間には至る所に発生するが、無視できるものは省略して説明している。
【０００９】
なお、図１２に示したチョークコイルの電気的等価回路を図１３に示す。簡単のため、入出力端子間の入出力端子間容量Ｃのみを電気的等価回路として図示すると、図１４に示すように、入出力巻線間容量Ｃｉｏと隣接巻線間容量Ｃｎの組合せで表すことができる。
【００１０】
図１２に示した構成のチョークコイルの欠点として、閉磁路コア１１の一部の磁路のみしか巻線スペースとして使用できないことにより、巻線の捲回数が少なくなってインピーダンスが著しく低下し、低域側特性が悪化している。図１２に示した構成のチョークコイルにおいて、低域の特性を向上するには、コアの断面積を大きくするか、巻線領域を長くし巻線１２及び１３の捲数を増やせばよいが、何れの場合にも閉磁路コアが大型になる欠点がある。
【００１１】
また、閉磁路コアの磁路を有効に活用する方法として、図１５に示すような円環状の閉磁路コア１１、１１或いは、図１６に示すような長方形枠状閉磁路コア１１の磁路全体に亘って巻線１２及び１３を施して捲数を多くすることが考えられる。このようにした場合、低域側のインピーダンスが確保でき、低域側特性は向上するが、入出力巻線間距離が小さくなることによって、入出力巻線間容量Ｃｉｏが大きくなって、高域側特性を著しく悪化させる。このうように、従来の巻線構造においては、高域側及び低域側の双方の広い周波数範囲に亘って一定値以上の特性を確保しようとしたとき、大型になるという問題があった。
【００１２】
よって本発明は、上述した現状に鑑み、大型化することなく、しかも、高周波のノーマルモード信号を減衰させることなく、コモンモードノイズを広帯域に亘って阻止することができる小型化に適したコモンモードチョークコイルを提供することを課題としている。
【課題を解決するための手段】
【００１３】
上記課題を解決するためなされた本発明は、閉磁路を形成している閉磁路コアと、該閉磁路コアに２本の絶縁電線を同時に捲回して形成した一対の巻線と、該一対の巻線を形成している前記２本の絶縁電線の両端がそれぞれ接続された入力端子及び出力端子とを備えるコモンモードチョークコイルであって、前記一対の巻線が、前記閉磁路と２点で交差する直線によって２分割されるコア部分の両方に、前記２本の絶縁電線を、前記直線を横切って掛け渡して前記交差点の一方から他方に向かってそれぞれ捲回して形成されていることを特徴とするコモンモードチョークコイルに存する。
【００１４】
以上の構成のように、閉磁路を形成している閉磁路コアに２本の絶縁電線を同時に捲回して一対の巻線を形成しているので、リーケージインダクタンスの発生が極めて少ない。しかも、一対の巻線が、閉磁路と２点で交差する直線によって２分割されるコア部分の両方に、２本の絶縁電線を、直線を横切って掛け渡してそれぞれ捲回して形成されているので、閉磁路コアの閉磁路を有効に利用して絶縁電線が捲回されて各巻線の捲数を多くすることができ、コモンモード電流によって大きなインダクタンスが生じるようになる。また、２本の絶縁電線を２分割されるコア部分の両方に対する２本の絶縁電線の捲回が、交差点の一方から他方に向かって行われているので、巻線の入出力巻線部分が互いに離間されるようになり、入出力巻線間容量を小さく抑えることができる。
【００１５】
前記コア部分の各々に対する前記２本の絶縁電線の捲回が、少なくとも１捲数毎に前記２本の絶縁電線を前記直線を横切って掛け渡して行われているので、２分割されるコア部分の各々に２本の絶縁電線が少なくとも１捲数捲回される毎に、２本の絶縁電線を捲回するコア部分が切り換えられ、両方のコア部分に対して巻線が施される。
【００１６】
前記コア部分の一方に前記２本の絶縁電線を追加捲回して形成した巻線部分を有するので、この巻線部分の捲数によって一対の巻線のインダクタンスを調整することができる。
【００１７】
前記閉磁路が長方形枠状をなし、前記直線が前記長方形枠状の閉磁路の短辺部分と交差しているので、直線によって２分割されるコア部分に長方形枠状の閉磁路の長辺部分全体がそれぞれ含まれるようになって、直線を横切って２本の絶縁電線を掛け渡さなければならないコア部分の距離を小さく、２本の絶縁電線を捲回できるコア部分の長さが大きくなるので、コア部分に対して行った２本の絶縁電線の捲回により形成される巻線の隣接巻線間容量を大きくすることなく、巻線の捲数を大きくできる。
【００１８】
前記入力端子及び前記出力端子が、前記閉磁路コアの外側に前記直線の方向で離間して配置されているので、互いに離間されている入出力巻線部分の外側に両端子が位置されるようになる。
【発明の効果】
【００１９】
本発明によれば、リーケージインダクタンスの発生が極めて少なくなって高域周波数でのノーマルモード信号の減衰を防ぎ、閉磁路コアの磁路を有効に活用して各巻線の捲数を多くしてコモンモード電流によって大きなインダクタンスを発生させ低域周波数でのコモンモード減衰量を大きくし、かつ、入出力巻線間容量を小さく抑えて高域周波数で大きなコモンモード減衰量を維持しているので、大型化することなく、しかも、高周波のノーマルモード信号を減衰させることなく、コモンモードノイズを広帯域に亘って阻止することができる小型化に適したコモンモードチョークコイルを提供することができる。
【００２０】
また、２分割されるコア部分の各々に２本の絶縁電線が少なくとも１捲数捲回される毎に、２本の絶縁電線を捲回するコア部分が切り換えられ、両方のコア部分に対して巻線が施されるので、２本の絶縁電線を直線を横切って掛け渡す毎にコア部分に捲回する巻線の捲数を変更することによって、隣接巻線間容量とインダクタンスの大きさを調整してコモンモードノイズに対する減衰量とその高域特性を所望の特性に合わせたチョークコイルが容易に得られる。
【００２１】
さらに、追加捲回した巻線部分の捲数によって一対の巻線のインダクタンスを調整することができるようになっているので、インダクタンスの増加量を調整してコモンモードノイズに対する減衰量特性を所望の特性に合わせたチョークコイルが容易に得られる。
【００２２】
また、直線によって２分割されるコア部分に長方形枠状の閉磁路の長辺部分全体がそれぞれ含まれるようになって、直線を横切って２本の絶縁電線を掛け渡さなければならないコア部分の距離を小さく、２本の絶縁電線を捲回できるコア部分の長さが大きくなるので、コア部分に対して行った２本の絶縁電線の捲回により形成される巻線の隣接巻線間容量を大きくすることなく、巻線の捲数を大きくでき、高周波のノーマルモード信号の減衰をより小さくし、コモンモードノイズを広帯域に亘って効果的に阻止することができるより小型化に適したコモンモードチョークコイルが得られる。
【００２３】
さらにまた、互いに離間されている入出力巻線部分の外側に両端子が位置されるようになるので、入出力端子間容量を大きくすることなく、入出力端子が高周波のノーマルモード信号の減衰特性を損なうことのないチョークコイルが得られる。
【発明を実施するための最良の形態】
【００２４】
以下、本発明の実施の形態を図面に基づいて説明する。図１は本発明によるコモンモードチョークコイルの一実施の形態を示す概略構成図である。同図において、チョークコイルは、長方形枠状の閉磁路を有する閉磁路コア１と、閉磁路コア１に２本の絶縁電線Ｌ１及びＬ２を同時に捲回して形成した一対の巻線２及び３と、一対の巻線２及び３を形成している２本の絶縁電線Ｌ１及びＬ２の両端がそれぞれ接続された一対の入力端子４ｉ及び５ｉ並びに一対の出力端子４ｏ及び５ｏとを備える。閉磁路コア１は、低周波領域から所定の高周波領域まで一定値以上の実効透磁率を有する磁性材料によって形成されている。また、２本の絶縁電線Ｌ１及びＬ２は、互いに撚った撚線とされた上で、閉磁路コア１に捲回されている。なお、チョークコイルは、平衡伝送路を構成する２本の絶縁電線を切断し、この切断によって形成される４つの切断端を一対の入力端子４ｉ及び５ｉ並びに一対の出力端子４ｏ及び５ｏにそれぞれ接続することによって、平衡伝送路間に挿入される。
【００２５】
図１のチョークコイルにおいては、一対の巻線２及び３は、閉磁路の短辺部分と２点ｘ及びｙで交差する直線Ｌによって２分割されるコア部分１ａ及び１ｂの両方に、２本の絶縁電線Ｌ１及びＬ２を、１捲数毎に直線Ｌを横切って掛け渡して交差点の一方ｘから他方ｙに向かってそれぞれ捲回して形成されている。なお、コア部分１ａ及び１ｂは、直線Ｌが長方形枠状の閉磁路の中心Ｏを通るものとすることで、直線Ｌについてい対称形状を有するようにされている。また、一対の入力端子４ｉ及び５ｉ並びに一対の出力端子４ｏ及び５ｏは、閉磁路コア１の外側に直線Ｌの方向で離間して上記中心Ｏについて対称な位置に配置されている。
【００２６】
上述したように、一対の巻線２及び３は撚線とされた２本の絶縁電線Ｌ１及びＬ２を閉磁路コア１に同時に捲回して形成されているので、一対の入力端子４ｉ及び５ｉ又は一対の出力端子４ｏ及び５ｏから流入する同相のコモンモード電流が巻線２及び３に流れると、各巻線２及び３は閉磁路コア１の閉磁路内に同一方向の磁束を生じることによって、インダクタンスが発生されるようになる。
【００２７】
これに対し、入力端子４ｉから流入し、巻線２，出力端子４ｏ、図示しない平衡伝送路、出力端子５ｏ、巻線３を経由して入力端子５ｉから流出するノーマルモード電流が流れたときには、各巻線２及び３は閉磁路コア１の閉磁路内に磁束を生じるが、巻線２及び３は２本の絶縁電線を同時に捲回して形成されていることで、その捲数が等しいので、巻線２及び３が閉磁路コア１の閉磁路内にそれぞれ発生する磁束は大きさが互いに等しく、方向が逆となっている。したがって、閉磁路コア１の閉磁路内に発生された磁束が互いにキャンセルされ、チョークコイルにはインダクタンスが発生されない。このことによって、ノーマルモード電流はチョークコイルによって減衰されることがない。
【００２８】
また、上述したように、一対の巻線２及び３は、閉磁路の短辺部分と２点ｘ及びｙで交差する直線Ｌによって２分割されるコア部分１ａ及び１ｂの両方に、２本の絶縁電線Ｌ１及びＬ２をそれぞれ捲回して形成されていることにより、閉磁路コア１に捲回して形成された巻線の捲数が多くなって、インピーダンスが増大されるので、低周波領域のコモンモード阻止特性の向上が図られる。
【００２９】
しかも、コア部分１ａ及び１ｂの両方に、２本の絶縁電線Ｌ１及びＬ２を、直線Ｌを横切って掛け渡して交差点の一方ｘから他方ｙに向かって捲回していることにより、巻線２及び３の入出力巻線部分が直線の方向で互いに離間されるようになって、入出力巻線間に大きな距離が確保されるので、入出力巻線間容量Ｃｉｏが減少するようになるので、高周波領域の特性劣化が抑えられるようになる。
【００３０】
よって、図１に示すチョークコイルによれば、巻線の捲数の増大と入出力巻線間容量の低下によって、低周波領域から高周波領域までの広帯域なコモンモードノイズ阻止特性を、閉磁路コアの形状を大きくすることなく、小型の閉磁路コアを使用して実現することができる。
【００３１】
具体的には、図１に示したチョークコイルと図１２に示す従来のチョークコイルとの高域側の特性を、同一形状閉磁路コアと同一の絶縁電線とを使用した場合について比較してみると、巻線の捲数は２：１となる。ここで、図１に示すチョークコイルの場合、直線Ｌによって２分割されるコア部分１ａ及び１ｂの両方に、２本の絶縁電線Ｌ１及びＬ２を、直線Ｌを横切って掛け渡して捲回した８の字形状の巻線部分（２ターン分）を一つのブロックと見ると、図１のチョークコイルは、図１２の従来のチョークコイルと同様に図１３に示すような電気的等価回路図で表現することができる。
【００３２】
しかし、一般に、金属の表面積が大きいほど静電容量は大きくなることから、隣接巻線間の隣接線長が大きくなる図１のチョークコイルの方が隣接巻線間容量Ｃｎの値が大きくなる。したがって、入出力巻線間容量Ｃｉｏは同じでも、入出力端子間容量Ｃは図１２のチョークコイルの方よりも大きくなり、高域側の特性については、図１２について上述した従来のチョークコイルに及ばない。この点について、コモンモードノイズに対する減衰特性をグラフに示して行う詳細な対比は後述する。
【００３３】
このような高域側の特性については、例えば図２に示すように、２分割されるコア部分１ａ及び１ｂに対する２本の絶縁電線Ｌ１及びＬ２の捲回を途中まで１捲数毎に交互に行った後、それ以降、一方のコア部分１ｂのみに捲回し、この一方のコア部分１ｂのみに対する捲数を、大小の隣接巻線間容量Ｃｎを組み合わせて入出力巻線間容量Ｃｉｏを図１２に示すチョークコイルに近づける調整に利用することによって、改善することができる。
【００３４】
隣接巻線間容量Ｃｎを減少させて入出力巻線間容量Ｃｉｏを減少させる構成としては、図３に示すように、１捲数ごとでなく２捲数毎に、２分割されるコア部分１ａ及び１ｂの両方に２本の絶縁電線Ｌ１及びＬ２を直線Ｌを横切って掛け渡して捲回する構成をとることも可能である。
【００３５】
なお、図１〜図３に２本の絶縁電線の特定の捲回構成を示したが、チョークコイルとしては、一対の巻線２及び３が、２分割されるコア部分１ａ及び１ｂの両方に、２本の絶縁電線Ｌ１及びＬ２を、直線Ｌを横切って掛け渡して交差点の一方ｘから他方ｙに向かってそれぞれ捲回して形成されることでよく、隣接巻線間容量Ｃｎの大きさの異なる巻線をコア部分１ａ及び１ｂに対して途中でどのように行うかは、必要に応じて任意に選択することができる。また、図示の実施形態では、閉磁路と２点で交差する直線Ｌは、閉磁路の中心を通って閉磁路の短辺部分と２点で交差されいるが、長方形枠状の閉磁路の対角を結ぶ対角線によって２分割したコア部分に２本の絶縁電線を捲回するようにしても良い。また、直線は閉磁路の中心を通らないものであってもよい。この場合、２分割されてコア部分は直線について非対称となるが、大きい方のコア部分に捲回される巻線の捲数を増やすことができる。
【００３６】
また、図１〜３の実施の形態では、閉磁路コア１として、長方形枠状のものを採用しているが、閉磁路コアとしては、図４に示すような円環（トロイダル）状のものの他、図示しない５角形状のものも採用することも可能である。図４の例では、円環状の閉磁路コアの２分割されるコア部分の各々に、２本の絶縁電線を、図示しない直線を２捲数毎に横切って掛け渡して交差点の一方から他方に向かってそれぞれ捲回している。
【００３７】
また、捲回して一対の巻線２及び３を形成するための２本の絶縁電線Ｌ１及びＬ２としては、平衡伝送路として求められる絶縁耐力が得られるものであればよく、例えば、ビニール電線やエナメル電線などが使用できる。さらに、上述の実施の形態では、２本の絶縁電線Ｌ１及びＬ２は撚線とした上で捲回されているが、図５に示すように撚らないままで２本の絶縁電線Ｌ１及びＬ２を同時に捲回するようにしても、撚線を使用した場合と同様の効果が得られる。
【００３８】
上述したチョークコイルでは、閉磁路コア１は、低周波領域から所定の高周波領域まで一定値以上の実効透磁率を有する磁性材料によって形成されている。また、２本の絶縁電線Ｌ１及びＬ２は、互いに撚った撚線とされた上で、閉磁路コア１に捲回されているので、入出力巻線間の距離を長く確保し、高域側と低域側の両方の周波数でのコモンモードノイズ阻止特性を両立することができ、コモンモードチョークコイルの大型化を防止することができる。
【００３９】
図１乃至図４に示す構成のチョークコイルは、図６（ａ）の上面図及び図６（ｂ）の側面図に示すように、長方体形状の樹脂ケース６内に収容され、ケース６の長手方向にケース側面の中央からそれぞれ外部に引き出された入力端子４ｉ及び５ｉに相当する端子金具と出力端子４ｏ及び５ｏに相当する端子金具には、一対の巻線をそれぞれ形成している２本の絶縁電線の両端がケース内でそれぞれ接続されている。このことによって、入力端子４ｉ及び５ｉと出力端子４ｏ及び５ｏはケースの最も離れた位置に配され、入出力端子間に無用の容量が生じないようにされている。なお、図示の例では、端子としてネジ端子構造のものが使用されているが、ファストン端子、基板実装可能なピン端子、インレットタイプの端子を使用することも可能である。
【実施例】
【００４０】
本発明のチョークコイルが、高速電力線通信（Ｐｏｗｅｒ  Ｌｉｎｅ  Ｃｏｍｍｕｎｉｃａｔｉｏｎ：ＰＬＣ）用ノイズフィルタに適用できるように構成された場合について以下説明する。
【００４１】
ＰＬＣ用ノイズフィルタの場合、周波数２ＭＨｚ〜３０ＭＨｚ付近においてコモンモードノイズ阻止特性を有することが重要であり、しかも、信号である高周波のノーマルモード電流を減衰させてはならない特性が要求される。ＰＬＣ用ノイズフィルタに適用される図１に示すコモンモードチョークコイルを構成するに当たって、２本の絶縁電線として、定格３００Ｖのビニール絶縁電線の撚線を使用した。また、この本発明によるチョークコイルにより得られる効果を、従来のものと対比できるように、図１２及び図１６に示す構成のチョークコイルを、同一の閉時路コア及び同一の線材を使用して製作した。製作した図１、図１２及び図１６に示す構成のチョークコイルにおける巻線は、その捲数が１：０．５：１の比となった。
【００４２】
特性比較のため、製作したチョークコイルのコモンモード減衰量を５０Ω系測定回路を使用して測定し、その結果を、図７及び図８に示した。図７からは、周波数約５０ＭＨｚ以下の低域側における減衰量が大きく、本発明によるチョークコイルの方が、図１２に示す構成のものよりも優れていることがわかる。また、図８からは、低域側周波数０．１ＭＨｚ〜１ＭＨｚでは同じコモンモード減衰量を呈するが、高域側周波数約５ＭＨｚ以上においては、本発明によるチョークコイルの方が大きな減衰量を維持し、コモンモードノイズ阻止能力が高いことが分かる。
【００４３】
なお、高速電力線通信のための平衡伝送路に家庭内電力線を利用する場合、ＰＬＣ用ノイズフィルタは、図９に、網目を付したブロックとして示すように、電力線を介して通信を行う機器の電源コンセントに付随して設置されるが、図示のように単独に設置することは勿論のこと、モデム内やコンセント内に内蔵することも可能である。
【図面の簡単な説明】
【００４４】
【図１】本発明のコモンモードチョークコイルの一実施形態を示す概略構成図である。
【図２】図１のチョークコイルの巻線を一部変形した実施形態を示す概略構成図である。
【図３】図１のチョークコイルの巻線の捲回の仕方を変更した実施形態を示す概略構成図である。
【図４】図１のチョークコイルの閉磁路コアの形状を変更した実施形態を示す概略構成図である。
【図５】図１のチョークコイルの２本の電線を変更した実施形態を示す概略構成図である。
【図６】図１乃至図５に示したチョークコイルをケースに収容した状態を示し、（ａ）は上面図、（ｂ）は側面図である。
【図７】図１のチョークコイルと従来の一チョークコイルとのコモンモード減衰量を対比して示すグラフである。
【図８】図１のチョークコイルと従来の他のチョークコイルとのコモンモード減衰量を対比して示すグラフである。
【図９】本発明のチョークコイルをＰＬＣ用ノイズフィルタとして使用した場合の平衡伝送路としての家庭内電力線に対するＰＬＣ用ノイズフィルタの接続箇所を例示する説明図ある。
【図１０】従来のチョークコイルの一例を示す概略構成図である。
【図１１】図１０のチョークコイルにノーマルモード電流が流れたときの動作を説明する説明図である。
【図１２】従来のチョークコイルの他の例を示す概略構成図である。
【図１３】図１２のチョークコイルの電気的等価回路を示す図である。
【図１４】図１２のチョークコイルの入出力端子間の容量のみで表した電気的等価回路を示す図である。
【図１５】従来のチョークコイルのさらに他の例を示す概略構成図である。
【図１６】図１５のチョークコイルの閉磁路コアを変形した例を示す概略構成図である。
【符号の説明】
【００４５】
１          閉磁路コア
１ａ，１ｂ  コア部分
２，３      一対の巻線
４ｉ，５ｉ  入力端子
４ｏ，５ｏ  出力端子
Ｌ          直線
Ｌ１，Ｌ２  ２本の絶縁電線
ｘ，ｙ      交差点
Ｃｎ        隣接巻線間容量
Ｃｉｏ      入出力巻線間容量
Ｃ          入出力端子間容量
【図１】
2006351860.tif 000003
【図２】
2006351860.tif 000004
【図３】
2006351860.tif 000005
【図４】
2006351860.tif 000006
【図５】
2006351860.tif 000007
【図６】
2006351860.tif 000008
【図７】
2006351860.tif 000009
【図８】
2006351860.tif 000010
【図９】
2006351860.tif 000011
【図１０】
2006351860.tif 000012
【図１１】
2006351860.tif 000013
【図１２】
2006351860.tif 000014
【図１３】
2006351860.tif 000015
【図１４】
2006351860.tif 000016
【図１５】
2006351860.tif 000017
【図１６】
2006351860.tif 000018